(57)【要約】  第１及び第２の長手方向に配置されたリブを含む可撓性部を有するアイウェア物品が開示される。代表的な実施形態において、可撓性部は、８０ｍｍ未満の曲率半径を有する。本発明のアイウェア物品は、ユーザーの頭部のサイズの範囲にわたり、好適なフィット及び快適性のバランスをもたらす。【選択図】  図８
2015508913.tif 000002
【特許請求の範囲】
【請求項１】
アイウェア物品であって、
前記アイウェア物品の前部から後方に延びるテンプル部であって、曲率半径（ρ）を有し、かつ第１及び第２の長手方向に配置されたリブを有する可撓性部を含む、テンプル部、を含み、
前記テンプル部が曲がっていない状態にあるとき、前記第１リブは、前記第２リブに対して角度を付けて配置され、ρ＜８０ｍｍである、アイウェア物品。
【請求項２】
２０ｍｍ＜ρ＜６０ｍｍである、請求項１に記載のアイウェア物品。
【請求項３】
４５ｍｍ＜ρ＜５５ｍｍである、請求項１に記載のアイウェア物品。
【請求項４】
前記可撓性部は、最大曲率半径（ρＭ）、及び最小曲率半径（ρｍ）を有し、［ρＭ−ρｍ］＜５ｍｍである、請求項１に記載のアイウェア物品。
【請求項５】
前記アイウェア物品は、取り付け部を更に含み、前記テンプル部は、前記取り付け部に回転可能に固定され、前記テンプル部の長さに沿って前記取り付け部から３０ｍｍの距離において、２０ｍｍ＜ρ＜８０ｍｍである、請求項１に記載のアイウェア物品。
【請求項６】
前記可撓性部がユーザーの頭部に適合するように曲げられているときに、前記第１リブ及び前記第２リブが相対的に回転する、請求項１に記載のアイウェア物品。
【請求項７】
前記各リブは、厚さ（ｔ）によって分離された第１主要表面及び第２主要表面を含み、並びに前記各リブは、前記リブの長手方向に長さ（ｌ）、及び前記厚さ（ｔ）及び前記長さ（ｌ）のそれぞれに対する垂直方向に高さ（ｈ）を含み、前記第１及び第２主要表面は実質的に平面的である、請求項１に記載のアイウェア物品。
【請求項８】
１５ｍｍ＜ｌ＜４５ｍｍである、請求項７に記載のアイウェア物品。
【請求項９】
前記各リブの前記高さ（ｈ）が、前記各リブの前記長さに沿って変化する、請求項７に記載のアイウェア物品。
【請求項１０】
前記可撓性部は、３つ以上の長手方向に配置されたリブを含み、前記各リブは、厚さ（ｔ）によって分離された第１主要表面及び第２の主要表面を含み、前記各リブの前記第１主要表面は、前記アイウェア物品を仮想的な上方半体及び下方半体に分割する水平面と垂直ではない、請求項１に記載のアイウェア物品。
【請求項１１】
前記テンプル部が、ポリカーボネート、ポリエステル、ポリアミド、及びアセタールからなる群から選択される材料を含む、請求項１に記載のアイウェア物品。
【請求項１２】
前記可撓性部は、８００ＭＰａ〜２５００ＭＰａの曲げ弾性率を有する材料から作製される、請求項１に記載のアイウェア物品。
【請求項１３】
前記可撓性部は、８００ＭＰａ〜１７００ＭＰａの曲げ弾性率を有する材料から作製される、請求項１に記載のアイウェア物品。
【請求項１４】
前記可撓性部は、１０００ＭＰａ〜１２００ＭＰａの曲げ弾性率を有する材料から作製される、請求項１に記載のアイウェア物品。
【請求項１５】
前記テンプル部は、接触部を更に含み、前記接触部に垂直にかかる力（Ｆ）は、前記アイウェア物品が、１３０ｍｍ〜１７０ｍｍの幅（Ｗ）を有する人間の頭部で使用するために位置付けられたときに、５０ｇ〜１４０ｇである、請求項１に記載のアイウェア物品。
【請求項１６】
５０ｇ＜Ｆ＜１１０ｇである、請求項１５に記載のアイウェア物品。
【請求項１７】
１５０ｍｍ＜Ｗ＜１８０ｍｍのときに、７０ｇ＜Ｆ＜１１０ｇである、請求項１５に記載のアイウェア物品。
【請求項１８】
前記テンプル部は、接触部を更に含み、前記アイウェア物品が、１３０ｍｍの幅を有する人間の頭部で使用するために配置されるときに、前記接触部に垂直に第１の力（Ｆ１）がかかり、前記アイウェア物品が、１８０ｍｍの幅を有する人間の頭部で使用するために配置されるときに、前記接触部に垂直に第２の力（Ｆ２）がかかり、（Ｆ２−Ｆ１）＜５０ｇである、請求項１に記載のアイウェア物品。
【請求項１９】
アイウェア物品であって、
前記アイウェア物品の前部から後方に延びるテンプル部であって、曲率半径（ρ）を有し、かつ第１及び第２の長手方向に配置されたリブを有する可撓性部を含む、テンプル部、を含み、
前記各リブは、厚さ（ｔ）で分離された第１主要表面及び第２の主要表面を有し、前記テンプル部が曲がっていない状態にあるとき、ρ＜８０ｍｍであり、前記各リブの前記第１主要表面は、前記アイウェア物品を仮想的な上方半体及び下方半体に分割する水平面と垂直ではない、アイウェア物品。
【請求項２０】
前記テンプル部は、接触部を更に含み、前記アイウェア物品が、１３０ｍｍの幅を有する人間の頭部で使用するために配置されるときに、前記接触部に第１の力（Ｆ１）がかかり、前記アイウェア物品が、１８０ｍｍの幅を有する人間の頭部で使用するために配置されるときに、前記接触部に第２の力（Ｆ２）がかかり、（Ｆ２−Ｆ１）＜５０ｇである、請求項１９に記載のアイウェア物品。
【発明の詳細な説明】
【技術分野】
【０００１】
本発明は、改善されたフィット、特に、ある範囲の頭の大きさに改善されたフィットをもたらす、人のためのアイウェアに関する。
【背景技術】
【０００２】
アイウェア物品、例えば、人の視力を矯正することを意図された眼鏡、及び人の眼又は顔が傷つかないように保護することを意図された安全眼鏡が、周知である。両方の種類のアイウェアは多くの場合ユーザーの鼻の上に、及び各耳の上方又は上に位置する。アイウェアがいかに良くフィットするかというユーザーの知覚は、鼻の上及び耳の上方にいかに良くフィットするかと共に、また恐らく眼鏡のレンズが人の目又は顔と近すぎないか、又は他の要因により影響され得る。
【０００３】
先行技術のアイウェア物品は、特定の頭の大きさを有する個人が使用するための、アイウェア物品を特定することによって、快適なアイウェアを提供しようとしてきた。加えて、多くの設計は、ばねヒンジなどの機構、又はアイウェアが特定の着用者のために調節されるのを可能にする機構を組み込む。このような手法は、複雑な設計、及び製造要件、又は複数の大きさの各アイウェア設計を貯蔵する必要性により、コストの増加を生じる。
【発明の概要】
【発明が解決しようとする課題】
【０００４】
究極的には、多くのユーザーによる使用に好適な、より良好にフィットするアイウェアに対する、継続的な必要性が存在する。
【課題を解決するための手段】
【０００５】
用語
本発明に関し、以下の用語は下記のように定義される。
「及び／又は」は、「及び」、「又は」、及び「及び」と「又は」との組み合わせを意味する。
【０００６】
可撓性部のリブに関して「角度をつけて配置する」とは、リブが平行ではなく、リブの１つ以上の主要表面が、５°／１８０°超の角度を形成することを意味する。
【０００７】
「取り付け部」とは、テンプル部が固定され得る、レンズ、フレーム、又は他の好適な機構などの機構を意味する。
【０００８】
テンプル部の接触部に関し、「接触部」とは、耳の正常位置の真上及び／又は真後ろでユーザーの頭部と接触する部分を意味する。
【０００９】
「可撓性部」とは、例えば、アイウェア物品がユーザーの頭部で使用するために配置されて、好適な力に晒されたときに曲がる、テンプル部の一部を指す。
【００１０】
「曲げ弾性率」とは、曲げ変形における、圧力対歪みの比率を意味し、例えば、ＡＳＴＭ  Ｄ７９０又はＩＳＯ  １７８に従って測定され得る。
【００１１】
「接触部にかかる力」とは、例えば、ユーザーの頭部の接触部の表面にほぼ垂直方向でかかる力、及び／又はユーザーの頭部により接触部にかかる対応する力を意味し、アイウェア物品が使用するために配置されるときに、アイウェア物品の前頭面からおよそ１１０ｍｍのところで測定され得る。
【００１２】
「レンズ」は、ユーザーがそれを通じて環境を見ることができる構造を意味し、いずれかの好適な材料を含み得る。
【００１３】
「部分」は、より大きな物体の一部を意味する。
【００１４】
アイウェア物品に関し「使用するために配置される」とは、アイウェア物品の意図される機能をもたらすために、ユーザーの目のほぼ前あたりにアイウェア物品が配置されることを意味する。
【００１５】
アイウェア物品のテンプル部、又は可撓性部に関し「曲がっていない状態」とは、テンプル部の接触部に殆ど又は全く力がかかっていない中立的な状態を意味する。
【００１６】
「曲率半径」とは、用語の従来的な数学的意味と一致する、曲線の一部における接触円の半径を意味する。
【００１７】
人間の頭部の幅を記載するために使用されるとき、「幅」とは、各耳の通常位置の真上の点の間の距離を指す。
【００１８】
本発明は、曲率半径（ρ）、並びに第１及び第２の長手方向に配置されたリブを有する可撓性部を含む、アイウェア物品の前部から後方に延びるテンプル部を有する、アイウェア物品をもたらす。可撓性部がユーザーの頭部に適合するように曲がるときに、第１及び第２のリブが相対的に回転する。テンプル部が曲がっていない状態にあるとき、第１リブは、第２リブに対して角度を付けて配置され、ρ＜８０ｍｍである。様々な実施形態において、ρは２０ｍｍ〜６０ｍｍ、又は４５ｍｍ〜５５ｍｍである。いくつかの実施形態において、可撓性部は最大曲率半径（ρＭ）、及び最小曲率半径（ρｍ）であり、［ρＭ−ρｍ］＜５ｍｍである。アイウェア物品は更に、取り付け部を含んでもよく、テンプル部は取り付け部に回転可能に固定され、ρは、テンプル部の長さに沿って取り付け部から３０ｍｍの距離において、２０ｍｍ〜８０ｍｍの範囲内であり得る。
【００１９】
いくつかの実施形態において、リブは、厚さ（ｔ）によって分離された第１主要表面及び第２主要表面を有し、リブの長手方向に長さ（ｌ）、及び厚さ（ｔ）及び長さ（ｌ）それぞれと垂直方向に高さ（ｈ）を有し、各リブの第１及び第２主要表面は実質的に平面的である。いくつかの実施形態において、長さ（ｌ）は、１５ｍｍ〜４５ｍｍであり、各リブの高さ（ｈ）は、各リブの長さに沿って変化する。いくつかの実施形態において、リブは、厚さ（ｔ）によって分離された第１主要表面及び第２主要表面を有し、リブの長手方向に長さ（ｌ）、及び厚さ（ｔ）及び長さ（ｌ）それぞれと垂直方向に高さ（ｈ）を有し、各リブの第１及び第２主要表面は実質的に平面的である。いくつかの実施形態において、アイウェア物品は、３つ以上の長手方向に配置されたリブを含み、各リブは、厚さ（ｔ）によって分離された第１及び第２の主要表面を含み、各リブの第１主要表面は、アイウェア物品を仮想的な上方半体及び下方半体に分割する水平面と垂直ではない。
【００２０】
いくつかの代表的な実施形態において、テンプル部は、ポリカーボネート、ポリエステル、ポリアミド、及びアセタールからなる群から選択される材料から作製される。可撓性部は、８００ＭＰａ〜２５００ＭＰａ、８００ＭＰａ〜１７００ＭＰａ、又は１０００ＭＰａ〜１２００ＭＰａの曲げ弾性率を有する材料から作製され得る。
【００２１】
いくつかの代表的な実施形態において、テンプル部は接触部を含み、接触部に垂直にかかる力（Ｆ）は、アイウェア物品が、１３０ｍｍ〜１７０ｍｍの幅（Ｗ）を有する、人間の頭部で使用するために位置付けられたときに、５０ｇ〜１４０ｇである。いくつかの代表的な実施形態において、力（Ｆ）は、アイウェア物品が、１３０ｍｍ〜１７０ｍｍの幅（Ｗ）を有する人間の頭部で使用するために位置付けられたときに、５０ｇ〜１１０ｇであり得、又はＦは７０ｇ〜１１０ｇであり得る。
【００２２】
いくつかの代表的な実施形態において、テンプル部は更に、接触部を含み、アイウェア物品が、１３０ｍｍの幅を有する人間の頭部で使用するために配置されたときに、接触部に垂直に第１力（Ｆ１）がかかり、１８０ｍｍの幅を有する人間の頭部で使用するために配置されたときに、接触部に垂直に第２の力（Ｆ２）がかかり、（Ｆ２−Ｆ１）は、＜５０ｇである。
【００２３】
本発明は、更に、曲率半径（ρ）、並びに第１及び第２の長手方向に配置されたリブを有する可撓性部を含む、アイウェア物品の前部から後方に延びるテンプル部を有する、アイウェア物品をもたらす。各リブは、厚さ（ｔ）で分離された第１及び第２の主要表面を有し、テンプル部が曲がっていない状態にあるとき、ρは＜８０ｍｍであり、各リブの第１主要表面は、アイウェア物品を仮想的な上方半体及び下方半体に分割する水平面と垂直ではない。いくつかの代表的な実施形態において、テンプル部は更に、接触部を含み、アイウェア物品が、１３０ｍｍの幅を有する人間の頭部で使用するために配置されたときに、接触部に垂直に第１力（Ｆ１）がかかり、１８０ｍｍの幅を有する人間の頭部で使用するために配置されたときに、接触部に垂直に第２の力（Ｆ２）がかかり、（Ｆ２−Ｆ１）は、＜５０ｇである。
【００２４】
本発明のアイウェア物品は、安全眼鏡、ゴーグル、サングラス、美容眼鏡、視力矯正眼鏡、及び／又は当該技術分野において既知の他のアイウェア物品であり得る。上記の本発明の課題を解決するための手段は、本発明の開示されるそれぞれの実施形態、又は本発明のすべての実施を説明することを目的としたものではない。以下の図面及び発明を実施するための形態は、実例となる実施形態をより具体的に例示するものである。米国特許出願第１３／４１０，９２４号、表題「Ｅｙｅｗｅａｒ  Ｈａｖｉｎｇ  ａ  Ｆｌｅｘｕｒａｌ  Ｍｅｍｂｅｒ」（２０１２年３月２日出願）は、可撓性部を有する代表的なアイウェア物品の構造及び構成を取り扱い、本明細書において参照として組み込まれる。
【図面の簡単な説明】
【００２５】
本発明は添付図面を参照して更に説明されるが、その際、同様の構造は、いくつかの図面を通して同様の数字によって参照される。
【図１】本発明によるアイウェア物品の斜視図である。
【図２】本発明をより良好に理解できるように、いくつかの基準面を画定する、本発明によるアイウェア物品の斜視図である。
【図３】本発明による、代表的な可撓性部を有するアイウェア物品の前部から後方に延びる、テンプル部の斜視図である。
【図４ａ】本発明による、代表的なテンプル部のリブの側面図である。
【図４ｂ】本発明による、代表的なテンプル部のリブの側面図である。
【図４ｃ】本発明による、代表的なテンプル部のリブの側面図である。
【図５ａ】第１及び第２平坦面を備える、リブを含む、本発明による可撓性部を有する、代表的なテンプル部の断面図である。
【図５ｂ】第１及び第２平坦面を備える、リブを含む、本発明による可撓性部を有する、代表的なテンプル部の断面図である。
【図６】第１及び第２湾曲面を備えるリブを含む、本発明による可撓性部を有する代表的なテンプル部の断面図である。
【図７】曲がっていない状態の、テンプル部及び可撓性部の曲線を有する、本発明によるアイウェア物品の頂面斜視図である。
【図８】４本の長手方向に配置されたリブを含む、可撓性部を有する、本発明によるアイウェア物品の斜視図である。
【図９】４本の長手方向に配置されたリブを有する、本発明による可撓性部の斜視図である。
【図１０】本発明による可撓性部の代表的な実施形態の側面図である。
【図１１】本発明による可撓性部の代表的な実施形態の断面図である。
【発明を実施するための形態】
【００２６】
本発明は、ある範囲の頭の大きさに適した、フィット及び快適性のバランスをもたらす機構を有する、アイウェア物品を提示する。アイウェア物品は、比較的小さな頭の幅を有するユーザーに、アイウェア物品を維持するために、テンプル部の接触部に十分な力をもたらす一方で、比較的大きな頭の幅を有するユーザーの上に位置付けられた際に、所望の快適性の範囲内の力をもたらす。代表的な実施形態において、アイウェア物品は、テンプル部の接触部において所望のレベルの力をもたらし、これは、先行技術のアイウェア物品よりもユーザーの頭の幅に依存しない。
【００２７】
図１は、アイウェア物品１００の第１の代表的な実施形態を示す。アイウェア物品１００は、１つ以上のレンズ１３０又はフレームを含む、従来的なアイウェア構成要素を含み得る。アイウェア物品１００は、第１端部１１１、接触部１１２、及び可撓性部１２０をそれぞれ有する、２つのテンプル部１１０を含む。テンプル部１１０は、アイウェア物品１００の前部から後方に延びる。可撓性部１２０は、曲がっていない状態における曲率半径を有する。可撓性部分１２０はユーザーの頭部に適合するように外側に曲がり、ある範囲の好適な頭の幅にわたって、所望の特性をもたらすように構成される。代表的な実施形態において、接触部１１２は、特定の頭の幅に適合する際に、可撓性部１２０が受ける湾曲と無関係に、実質的に一定の向きのままである。使用するために位置付けられるとき、アイウェア物品１００は、アイウェア物品１００の意図される機能をもたらすために、ほぼユーザーの目の前に位置付けられる。１つ以上のレンズ１３０がユーザーの視界と相互作用し、又はユーザーの目及びユーザーの顔の一部を、外的要素から遮断する。
【００２８】
代表的な実施形態において、テンプル部１１０の第１端部１１１は、１つ以上のレンズ１３０、フレーム、又はアイウェア物品１００の他の好適な機構の、取り付け部１５０に固定され得る。テンプル部１１０は、当該技術分野において既知のいずれかの好適な手段により、取り付け部１５０に固定され得る。例えば、テンプル部１１０は、ヒンジにより回転可能に固定され得、これは、開放位置と閉鎖位置との間の様々な位置で、軸を中心に、テンプル部１１０が枢動運動することを可能にする。これは、１つ以上のレンズ１３０、フレーム、又はアイウェア物品１００の他の好適な部分の対応する機構と係合し、ねじ、ピン、又は当該技術分野において既知の他の機構と回転可能に係合するように固定される、機構を含むテンプル部１１０の第１端部１１１によって達成され得る。テンプル部１１０はまた、例えば、スナップフィット取り付けを使用し取り付けられてもよい。別の代表的な実施形態において、アイウェア物品１００は、フレーム及びテンプル部１１０を含んでも含まなくてもよく、テンプル部１１０は、１つ以上のレンズの取り付け部に取り付けられてもよい。
【００２９】
上記のアイウェア物品１００の構成要素は、別個に形成され、その後一緒に接合されて、アイウェア物品を形成してもよい。代表的な実施形態において、１つ以上のレンズ１３０、及びフレームが、例えば、射出成形、トランスファー成形、圧縮成形、又は当該技術分野において既知の他の技術により、単一部品として一体的に形成される。別の代表的な実施形態において、テンプル部１１０は、射出成形、トランスファー成形、圧縮成形、又は当該技術分野において既知の他の技術により形成され、その後レンズ又はフレームに接合されてもよい。あるいは、様々な部分、又はアイウェア物品１００全体が一体的に形成されてもよい。
【００３０】
可撓性部１２０は、テンプル部及び可撓性部が受け得る、通常の曲げの範囲にわたって、弾性変形を可能にするように、好適な特性を有する材料から形成されてもよい。代表的な実施形態において、テンプル部１１０及び／又は可撓性部１２０は、Ｐｉｔｔｓｆｉｅｌｄ，ＭａｓｓａｃｈｕｓｅｔｔｓのＳａｂｉｃ  Ｉｎｎｏｖａｔｉｖｅ  Ｐｌａｓｔｉｃｓから入手可能な商標名ＸＹＬＥＸ  Ｘ８３００を有する材料などのポリカーボネート及びポリエステルの紫外線に対し安定なブレンド、又はＳａｂｉｃ  Ｉｎｎｏｖａｔｉｖｅ  Ｐｌａｓｔｉｃｓから入手可能な商標名ＸＥＮＯＹ  ５７２０を有する材料などのポリカーボネート及びポリブチレン（polybutelene）のブレンドから作製される。他の代表的な実施形態において、テンプル部１１０及び／又は可撓性部１２０は、Ｓａｂｉｃ  Ｉｎｎｏｖａｔｉｖｅ  Ｐｌａｓｔｉｃから入手可能なＰＣ１２４Ｒなどのポリカーボネート、又はＥ．Ｉ．Ｄｕ  Ｐｏｎｔ  Ｄｅ  Ｎｅｍｏｕｒｓ  ａｎｄ  Ｃｏから入手可能なＤ１００  ＳＴなどのアセタールから作製される。他の好適な材料としては、他のポリカーボネート、ポリエステル、ポリアミド、アセタール、熱可塑性樹脂、当該技術分野において既知の他の好適な材料、及びこのような材料の好適な組み合わせが挙げられる。
【００３１】
代表的な実施形態において、テンプル部１１０及び可撓性部１２０は、８００ＭＰａ〜２５００ＭＰａの曲げ弾性率を有する材料から作製される。様々な代表的な実施形態において、曲げ弾性率は、約８００ＭＰａ〜１７００ＭＰｚ、又は約１０００ＭＰａ〜約１２００ＭＰａであり得る。
【００３２】
本発明による、アイウェア物品のいくつかの特徴が、アイウェア物品１００に対して画定され、図２に示される３つの基準面を参照して理解され得る。使用するときに配置されるように、アイウェア物品１００が水平方向に位置付けられ、アイウェア物品１００をレンズの外側（これはアイウェアの前方と称され得る）から観察すると、中央サジタル平面１６１が、アイウェア１００を、仮想的な左半体及び右半体へと分割する。水平面１６２は、アイウェア物品１００を、想像上の上方部及び下方部へと水平方向に分割する。水平面１６２は、開放位置と閉鎖位置との間で動き、かつユーザーの頭部に適合する際に曲がっていない状態から曲がった状態へと移動する際の、テンプル部１１０によって形成される回転面とほぼ平行である。テンプル部１１０とフレーム又はレンズを接合しているヒンジが完全に開いており、テンプル部１１０が、テンプル部１１０の接触部１１２に、又はこれにより負荷がかからないように曲がっていない状態にあるときに、テンプル部１１０は、開放位置にあるとされる。例えば、テンプル部１１０が内側に折り曲げられるように、ヒンジが完全に閉じているときに、テンプル部１１０は、閉鎖位置にあるとされる。前頭面１６３は、中央サジタル平面及び水平面の両方と垂直であり、１つ以上のレンズ１３０の最前部と接している。
【００３３】
図２に示されるように、接触部１１２の位置、及びテンプル部１１０の対応する曲げが、アイウェア物品１００の水平面１６２と実質的に平行であり、中央サジタル平面１６１と垂直である、距離ｄにより特徴づけることができ、これは、接触部をアイウェア物品１００の中央サジタル平面から分離する。例えば、テンプル部１１０が開放位置、及び曲がっていない状態にあるとき、第１距離は、接触部１１２を中央サジタル平面１６１から分離する。例えば、仮想線で示されるように、ユーザーの頭部に適合するようにテンプル部１１０が曲げられると、第２距離ｄが接触部１１２を中央サジタル平面１６１から分離する。第２距離ｄは、アイウェア物品１００が位置付けられる頭部の幅の大きさのおよそ半分であり得る。テンプル部１１０が曲げられると、回復力が働いて、テンプル部１１０をこれが曲げられない位置へと戻す。所与の曲げに対してテンプル部１１０の接触部１１２にかかる力の大きさは、決まっていてもよく、以下により詳細に記載されるように、テンプル部アイウェア物品の形状及び材料と関連してもよい。
【００３４】
図３は、本発明による、可撓性部１２０の代表的な実施形態を有するアイウェア物品１００の前部から後方に延びるテンプル部１１０を示す。可撓性部１２０は、第１端部１２１及び第２端部１２２を有し、第１端部１２１と第２端部１２２との間に、長手方向に配置された第１リブ１２５及び第２リブ１２６を有する。各リブは、厚さｔによって離される第１主要表面Ｓ１及び第２主要表面Ｓ２を有し、リブの長手方向において長さｌを含み、厚さｔ及び長さｌとそれぞれ垂直な方向に高さｈを有する。様々な実施形態において、ｌはおよそ１０ｍｍ〜７５ｍｍ、又は１５ｍｍ〜４５ｍｍであり得、又はおよそ３０ｍｍであり得る。
【００３５】
図３に示される代表的な実施形態において、第１リブ１２５及び第２リブ１２６それぞれの、内側周辺縁部は、第１リブ１２５の一部と、第２リブ１２６の一部との間に延びるスロット１２９を画定する。別の代表的な実施形態において、内側周辺縁部は、複数のスロット、溝、若しくは他の開口部を画定してもよく、又は第１及び第２リブは、例えば内側周辺部を接続することによって、リブの長さに沿って、完全に、又は部分的に接合され得る。
【００３６】
リブ１２５及び１２６の厚さ及び高さは、テンプル部１１０に力がかけられたときに、可撓性部１２０が曲がり、及び別の方法で反応する方法に影響し得る。特に、リブ１２５及び１２６の厚さ及び高さは、テンプル部１１０に力がかけられたときに、可撓性部１２０が最初に曲がる位置、及び可撓性部１２０を通じて力が分配される方法に影響し得る。様々な代表的な実施形態において、リブ１２５及び１２６は、２ｍｍ〜１０ｍｍ、又は２．５ｍｍ〜８ｍｍの高さｈを有し得る。代表的な実施形態において、リブ１２５及び１２６の一方又は両方が、最小高さと、最大高さとの間で一様でない高さｈを有し得る。このような実施形態において、可撓性部１２０は、初期の力がテンプル部にかけられたときに、リブの最小高さの位置、又はその付近で曲がることがある。
【００３７】
代表的な実施形態において、例えば、図４ａに示されるように、リブ１２５及び１２６の一方又は両方の最小高さｈｍｉｎは、可撓性部１２０の第１端部１２１及び第２端部１２２から離間した位置において生じる。他の代表的な実施形態において、各リブの高さは、図４ｂに示されるように均一であり得、例えば、第１端部１２１付近の最大高さｈｍａｘから、図４ｃに示される第２端部１２２付近の最小高さｈｍｉｎまで、各リブの長さにわたって変化があってもよい。
【００３８】
代表的な実施形態において、第１リブ１２５は、可撓性部が曲がっていない状態にあるときに、第２リブ１２６に対して角度を成して配置され、第１主要表面Ｓ１（リブ１２５及び１２６の内側の主要表面）が、１８０°未満の角度θを形成する。例えば、アイウェア物品１００が、ユーザーの頭部で使用するために位置付けられ得るように、テンプル部１１０が曲げられるとき、例えば、リブ１２５及び１２６は、以下でより詳細に記載されるように、角度θがより大きくなるように、相対的に回転する。例えば、図５ａに示されるように、テンプル部１１０が曲がっていない状態にあるときに、各リブ１２５及び１２６の内側表面の第１平坦面Ｓ１によって画定される角度θ１は、テンプル部１１０が曲がっているときに、各リブ１２５及び１２６の第１平坦面Ｓ１によって画定される角度θ２より小さい。曲がった状態において、角度θ２は、θ１よりも、１８０°に近い値を有し、よって各リブ１２５及び１２６の表面Ｓ１はより平行に近い。各リブの相対回転により、湾曲軸を中心とする断面の断面二次モーメントが低減する。したがって、以下でより詳細に記載されるように、テンプル部１１０の曲げにおける限界変化において必要な力がより小さく、曲げが更に増加する際に、接触部１１２にかかる力がより緩慢に増加するか、又は一定のままである。
【００３９】
別の代表的な実施形態において、第１リブ１２５及び第２リブ１２６は、図５ｂに示されるように可撓性部１２０が曲がっていない状態にあるときに、第２主要表面Ｓ２（各リブの外側リブの主要表面）が１８０°未満の角度θを形成するように、角度をつけて配置され得る。ユーザーの頭部において使用するために、アイウェア物品１００が位置付けられ得るように、テンプル部１１０が曲げられるとき、第１及び第２リブ１２５及び１２６は、角度θが１８０°、又は１８０°未満の角度に向かって低減するように、回転する。例えば、図５ｂに示されるように、テンプル部１１０が曲がっていないときに、各リブ１２５及び１２６の外側表面上の第２平坦面Ｓ２は、角度θ３を画定し、これは、テンプル部１１０が曲がっているときに各リブ１２５及び１２６の第２平坦面Ｓ２により画定される角度θ４よりも小さい。曲がった状態において、角度θ４は、θ３よりも、１８０°に近い値を有し、よって各リブ１２５及び１２６の表面Ｓ２はより平行に近い。
【００４０】
別の代表的な実施形態において、例えば、図５ａ及び５ｂに示されるように、第１リブ１２５及び／又は第２リブ１２６は、第１主要表面Ｓ１及び第２主要表面Ｓ２の一方又は両方が、アイウェア物品１００の水平面１６２と垂直ではないように、角度を付けて配置される。すなわち、第１主要表面Ｓ１及び第２主要表面Ｓ２の一方又は両方が、アイウェア物品１００の水平面１６２と９０°を形成する角度から５°の範囲内にない。アイウェア物品１００がユーザーの頭部で使用するために位置付けられ得るように、テンプル部１１０が曲げられるとき、第１主要表面Ｓ１及び第２主要表面Ｓ２の一方又は両方が、アイウェア物品１００の水平面１６２と垂直に近くなるように、第１リブ１２５及び第２リブ１２６が回転する。
【００４１】
代表的な実施形態において、図５ａ及び図５ｂに示されるように、第１リブ１２５及び第２リブ１２６はそれぞれ、第１平坦面Ｓ１と第２平坦面Ｓ２との間に厚さｔを有し、これは、内側周辺縁部１２３から外側周辺縁部１２４へと減少する。いくつかの代表的な実施形態において、第１及び第２リブは、０．５ｍｍ〜５ｍｍのいずれかの特定の値の厚さｔを有してもよい。他の実施形態において、厚さｔは、０．５〜４ｍｍ、又は０．５ｍｍ〜２．５ｍｍであり得る。可撓性部分は、リブの厚さが増加するほど硬くなり、特定のテンプル分離のために、テンプル部の接触部において、より薄い厚さを備えるリブを有する可撓性部と比較して、より大きな力を生じることがある。
【００４２】
いくつかの代表的な実施形態において、厚さｔは例えば、リブの高さに沿って、外側周辺縁部１２４にける約０．５ｍｍの厚さｔ〜内側周辺縁部１２３における約２．５ｍｍの厚さｔで変化してもよい。他の代表的な実施形態において、第１リブ１２５及び第２リブ１２６は、各リブの高さｈにわたり一定である厚さｔ、又は内側周辺縁部１２３から外側周辺縁部１２４まで増加する厚さｔを有する。
【００４３】
いくつかの代表的な実施形態において、内側周辺縁部１２３における厚さｔｍａｘは、各リブ１２５及び１２６の長さｌに沿って一定のままであり得、一方で外側周辺縁部１２４における厚さｔｍｉｎは長さｌに沿って変化する。代表的な実施形態において、内側周辺縁部１２３の厚さｔｍａｘが長さｌに沿っておよそ１．５ｍｍであり、外側周辺縁部１２４のｔｍｉｎが長さｌに沿って、各端部における１．０ｍｍから、可撓性部３２０の最も近い第１端部３２１に最も近い各リブの端部から、およそ１０ｍｍの長さｌに沿った位置における０．５ｍｍまで変化する。
【００４４】
図６に示されるように、別の代表的な実施形態において、第１リブ１２５及び第２リブ１２６は、第１の湾曲表面Ｓ１及び第２の湾曲表面Ｓ２を呈し得る。リブが第１及び第２平坦面を有する実施形態と同様に、リブの厚さは、一定であってもよく、又はリブの高さにわたって変化してもよい。第１リブ１２５及び第２リブ１２６はそれぞれ、各内側周辺縁部１２３〜各外側周辺縁部１２４へと低減する、第１湾曲面Ｓ１と第２湾曲面Ｓ２との間の厚さｔを有する。
【００４５】
他の代表的な実施形態において、第１リブ１２５及び第２リブ１２６は一定である厚さｔ、又は内側周辺縁部１２３から外側周辺縁部１２４まで増加する厚さｔを有する。あるいは、第１リブ１２５及び第２リブ１２６の内側周辺縁部は接続されていてもよく、厚さｔは、各外側周辺縁部１２４と、第１リブ及び第２リブの内側周辺縁部１２３の接続点との間の、各リブの高さにわたり、変化していてもよい。
【００４６】
各リブ１２５及び１２６の湾曲表面は、リブの曲率半径を画定する。リブは、曲がっていない状態にあるときに相対的に角度を有するように配置され、リブは特定の曲率半径Ｒ１を画定する。テンプル部１１０に力がかけられるとき（アイウェア物品がユーザーの頭部で使用するために位置付けられるとき）、曲率半径Ｒ２が大きくなるように（仮想線で示されるリブ１２５及び１２６により示されるように）第１リブ１２５及び第２リブ１２６は、相対的に曲がる及び／又は回転してもよい。
【００４７】
図７は、本発明によるテンプル部１１０を有するアイウェア物品１００の代表的な実施形態を示す。テンプル部１１０は、曲がっていない状態にあるときに、湾曲を呈する可撓性部１２０を有する。可撓性部１２０の湾曲は、曲率半径により画定されてもよい。曲率半径は、曲線上の点における接触円の半径であり、曲線上の点によって異なり得る。急な曲線は一般的に、より大きな曲率を有し、より小さな曲率半径を有するものとされ、一方で緩い曲線は一般的に小さな曲率を有し、大きい曲率半径を有するものとされる。例えば、ユーザーの頭に適合するようにテンプル部１１０が曲げられると、可撓性部１２０の曲率半径が増加する。したがって、可撓性部１２０の代表的な実施形態の湾曲は、曲がっていない状態において、ユーザーの頭部で使用するためにアイウェアが位置付けられているときよりも、大きい。
【００４８】
テンプル部１１０の可撓性部１２０は、可撓性部１２０が曲がっていない状態にあるときの、曲率半径ρによって特徴付けられる。代表的な実施形態において、曲がっていない状態にあるときの、可撓性部１２０の曲率半径ρは、８０ｍｍ未満である。他の実施形態において、可撓性部１２０が曲がっていない状態にあるとき、可撓性部１２０の曲率半径ρは２０ｍｍ〜６０ｍｍ、又は４５ｍｍ〜５５ｍｍである。代表的な実施形態において、曲率半径ρは、可撓性部１２０の長さに沿って、一定であるか、又はほぼ一定である。例えば、可撓性部１２０は、最大曲率半径ρＭ、及び最小曲率半径ρｍを有してもよく、最大曲率半径の大きさは、最小曲率半径の大きさから５ｍｍ内であり得る。代表的な実施形態において、テンプル部１１０の曲率半径は、テンプル部の長さに沿った、一定の距離である、特定の点における曲率半径として特徴づけることができる。例えば、代表的な実施形態において、テンプル部１１０の長さに沿って、取り付け部１５０又は第１端部１１１から３０ｍｍの距離における可撓性部１２０の曲率半径ρは、２０ｍｍ〜８０ｍｍである。
【００４９】
上記の曲率半径を有する可撓性部は、本発明によるアイウェア部品に、いくつかの利点をもたらす。低い曲率半径を呈する可撓性部は、着用者の頭部に適合するために、同じ頭部に位置付けられたときに、曲率を欠く従来的なテンプル部が受ける曲げと比較して、追加的な曲げを受けなくてはならない。すなわち、実質的に真っ直ぐなテンプル部が、各テンプル部の接触部がユーザーの頭部に位置付けるために十分に分離される前に、曲げを殆ど又は全く受けない一方で、図７に示されるアイウェア物品１００のテンプル部１１０及び特に可撓性部１２０は、ユーザーの頭部に適合するために実質的な曲げを受けなくてはならない。したがって、このような可撓性部を有するテンプル部１１０は、従来的なアイウェアと比較して、テンプル部１１０の間により小さい分離間隔を有するようにして、圧迫状態に入る。ユーザーの頭部にアイウェア物品１００を固定するために十分な力が、更に、より可撓性のテンプル部により得られる場合がある。更に、可撓性部１２０が曲がっていない状態にあるときに存在する曲率半径は、可撓性部が、ユーザーの頭部の幅の多くに対応する、適切な曲げの範囲内で、望ましく機能することを可能にする。すなわち、可撓性部１２０の特定の曲率は、テンプル部１１０の接触部１１２が、特定のテンプル分離間隔において、所望のレベルの力をかけることを可能にする。これらの、及び他の利益は、以下に記載される、本発明による可撓性部を有するテンプル部の力変位特性を参照して、より完全に理解される。
【００５０】
本発明による可撓性部を含むアイウェア物品は、前のアイウェア物品よりも広い、頭部の大きさの範囲にわたって、テンプル部の接触部に所望の力をもたらし得る。成人の頭部の大部分は、両耳の正常位置の真上で測定した際に、１３０ｍｍ〜１７０ｍｍの幅を有する。更に、本発明者は、およそ４０ｇ〜１４０ｇ、又はおよそ５０ｇ〜１１０ｇ、又はおよそ８０ｇの力が、アイウェア物品が意図せずに適所から外れることなく、かつかかる力が大きすぎて不快感を生じないように、安全性と制限された圧力の、感知される最適なバランスをもたらす。したがって、代表的なアイウェア物品１００は、１３０ｍｍ〜１７０ｍｍの幅を有する人間の頭部で使用するために配置されるときに、接触部において上記の範囲内の力を呈する。すなわち、図２に関して先に記載されたように、各テンプル部１１０の接触部１１２を、アイウェア物品１００の中央サジタル平面１６１から分離する距離ｄが６５ｍｍ〜８５ｍｍであるとき、テンプル部１１０の接触部１１２おける力は、望ましい範囲にある。代表的な実施形態において、アイウェア物品１００が、１３０ｍｍ〜１７０ｍｍの幅を有する人間の頭部で使用するために配置されるとき、接触部１１２に垂直にかかる力は、５０ｇ〜１４０ｇである。他の代表的な実施形態において、アイウェア物品１００が、１５０ｍｍ〜１８０ｍｍの幅を有する人間の頭部で使用するために配置されるとき、又はｄが７５ｍｍ〜９０ｍｍであるとき、力は５０ｇ〜１１０ｇであり、７０ｇ〜１１０ｇであり得る。
【００５１】
例えば、以下に記載される手順１に従い、様々なテンプルの分離で力を測定することにより、アイウェア物品の、接触部においてかかる力対テンプル部の変位を示す曲線を得ることができる。理論に束縛されることなく、このような曲線の傾きは、測定されるテンプル部の可撓性に関連する。したがって、より可撓性のテンプル部は、小さな曲げの増加が、接触部にかかる力を比較的大きな増加を生じる、剛性のテンプル部と比較して、変位する範囲にわたって、接触部にかかる力のより小さな変動を生じる。代表的な実施形態において、テンプル部１１０の接触部１１２にかかる力は、１３０ｍｍ〜１８０ｍｍのテンプル部の分離の範囲にわたり、５０ｇ以下だけ変化する。すなわち、アイウェア物品１００が、１３０ｍｍの幅を有する人間の頭部で使用するために配置されるとき、接触部１１２に第１の力Ｆ１がかかり、アイウェア物品１００が１８０ｍｍの幅を有する人間の頭部で使用するために接触部１１２に第２の力がかかり、Ｆ２とＦ１との差は、５０ｇ以下である。様々な他の実施形態において、Ｆ２とＦ１との間の差が、３０ｇ未満、又は２０ｇ未満であり得る。対照的に、多くの先行の設計は、１３０ｍｍ〜１８０ｍｍのテンプル分離範囲にわたり、有意に５０ｇ超だけ変化する力を呈する。
【００５２】
多くの従来的なテンプル部のものと比較して、より大きな可撓性を有する材料から構成されるにもかかわらず、テンプル部１１０の接触部１１２における最小の所望の力レベルが得られる。このような結果は一部において、曲がっていない状態にあるときに、テンプル部１１０及び可撓性部１２０部が呈する固有の湾曲と、本明細書において記載される長手方向に配置されるリブの存在との組み合わせによる。代表的な実施形態において、テンプル部１１０は、テンプル分離間隔が８０ｍｍを超える前であっても、曲げを生じる。結果として、接触部１１２における力は、テンプル部１１０が多くの先行のアイウェア物品のものよりも大きな可撓性を有するにもかかわらず、テンプル分離間隔が１３０ｍｍを超える際に、５０ｇ超の値に到達する。更に、可撓性部１２０の固有の湾曲により推進される比較的可撓性のテンプル部１１０により、力レベルは、より広い範囲のテンプル分離間隔にわたって、所望のレベルに近いままである。
【００５３】
テンプル部１１０の代表的な実施形態が呈する、接触部力レベルはまた、可撓性部１２０の構造及び構成にもより得る１１２にかかる。理論により束縛されることなく、本発明のテンプル部１１０の接触部１１２にかかる力は、テンプル分離間隔と、関連する断面二次モーメントとの積と比例するものとして特徴づけることができる。断面二次モーメントは、当該技術分野において既知であるように、テンプル部１１０の長手方向軸と垂直な軸を中心として、かつ湾曲する平面内において、計算される。変位が増加すると、接触部１１２における力も増加し、変位が減少すると、接触部１１２における力が低減する。様に、テンプル部１１０の断面の断面二次モーメントが増加すると、接触部１１２の力が増加し、断面二次モーメントが低減すると、接触部１１２の力が低減する。
【００５４】
先行のテンプル部の断面二次モーメントは、接触部にかかる力が変位とほぼ比例するように曲がるときに、実質的に一定のままであると考えられる。しかしながら、可撓性部１２０の代表的な実施形態において、特定の断面位置の断面二次モーメントは、テンプル部がユーザーの頭部に適合するように曲がるに伴って変化する。上記のように、第１リブ１２５及び第２リブ１２６は、テンプル部１１０が曲がる際に、相対的に回転する。結果として、可撓性部１２０の特定の断面における断面二次モーメントは、テンプル部１１０が曲がるときに変化する。例えば、第１幅を有する頭部において使用するためにアイウェア物品が配置されるとき、断面の断面二次モーメントは、第１幅よりも大きな第２幅を有する頭部において使用するためにアイウェア物品が配置される場合よりも、大きい。したがって、可撓性部が追加的な曲げを受けると、テンプル部の断面の断面二次モーメントは低減する。このように、テンプル部１１０が、より大きな頭部幅に適合するように曲がるか又は屈曲する際に、テンプル部１１０の接触部１１２にかかる力の増加を呈するのではなく、断面二次モーメントが減少する。テンプル部１１０の接触部１１２にかかる力は、テンプル部１１０の曲げの範囲、及びしたがってユーザーの頭部のサイズ範囲にわたり、実質的に一定のままであるか、又はより小さい変動を呈する。
【００５５】
上記の特徴及び特性に加えて、アイウェア物品のフィットは、一部、ユーザーの頭部の周囲のテンプル部の配置、特に、テンプル部の接触部がユーザーの頭部と接触する位置及び向きによることがある。本発明によるテンプル部の代表的な実施形態において、接触部は、ユーザーにかかる圧力が最小化されるように、ユーザーの頭部と接する領域を最大化するために、実質的に平坦な表面を有してもよい。例えば、接触部の縁部のみがユーザーの頭部と接触すると、快適性が低減し得る。したがって、本発明による代表的なテンプル部の接触部は、所望の範囲の頭部サイズに対応するテンプル分離間隔の範囲内のいずれかの位置において実質的に垂直な向きのままであり、かつ上記の水平面と実質的に平行な平面に留まる。すなわち、本発明による代表的なテンプル部は、テンプル部の長手方向軸を中心とした回転、又は曲がっていない状態のテンプル部により画定される平面外の回転に抵抗する。
【００５６】
本発明によるアイウェア物品２００の代表的な実施形態は、図８及び図９に示される。アイウェア物品２００は、１つ以上のレンズ２３０又はフレームを含む、従来的なアイウェア構成要素を含み得る。アイウェア物品２００は、可撓性部２２０、接触部２１２をそれぞれ有する、２つのテンプル部２１０を含む。可撓性部２２０は、第１端部２２１及び第２端部２２２を有し、第１の長手方向に配置されたリブ２２５、及び第２の長手方向に配置されたリブ２２６、並びに第３の長手方向に配置されたリブ２２７及び第４の長手方向に配置されたリブ２２８を含む。各リブは、各リブの内側表面及び外側表面にそれぞれ、第１主要表面Ｓ１及び第２主要表面Ｓ２を有し、各リブの長手方向の長さと垂直な方向に高さｈを有する。更に、可撓性部２２０は、アイウェア物品の中央サジタル平面と平行な方向に最大高さＨを呈する。代表的な実施形態において、最大高さＨは、可撓性部２２０の端部２２１付近のテンプル部２１０に沿った位置で生じる。アイウェア物品２００の様々な特徴及び特性が、アイウェア物品１００に関して、上記の３つの基準平面に対して画定され、図２に示されるように向けられてもよい。
【００５７】
代表的な実施形態において、リブ２２５及び２２６、並びにリブ２２７及び２２８の内側の第１主要表面Ｓ１がそれぞれ１８０°未満の角度を形成するように、リブ２２５はリブ２２６に対して角度を有するように配置され、リブ２２７は、リブ２２８に対して角度を有するように配置される。アイウェア物品２００がユーザーの頭部で使用するために配置され得るように、テンプル部２１０が曲がるとき、リブ２２５、２２６、２２７及び２２８は、リブ２２５及び２２６、並びにリブ２２７及び２２８の第１主要表面Ｓ１がそれぞれ曲がっていない状態にあるときよりも、１８０°に近い角度を形成するように、回転する。別の代表的な実施形態において、リブ２２５及び２２６、並びにリブ２２７及び２２８の内側の第２主要表面Ｓ２がそれぞれ１８０°未満の角度を形成するように、リブ２２５はリブ２２６に対して角度を有するように配置され、リブ２２７は、リブ２２８に対して角度を有するように配置される。アイウェア物品２００がユーザーの頭部で使用するために配置され得るように、テンプル部２１０が曲がるとき、リブ２２５、２２６、２２７及び２２８は、リブ２２５及び２２６、並びにリブ２２７及び２２８の第２主要表面Ｓ２がそれぞれ曲がっていない状態にあるときよりも、１８０°に近い角度を形成するように、回転する。別の代表的な実施形態において、リブ２２５、２２６、２２７、及び２２８の１つ以上が、第１主要表面Ｓ１及び第２主要表面Ｓ２の一方又は両方が、アイウェア物品２００の水平面と垂直ではないように配置される。すなわち、第１主要表面Ｓ１及び第２主要表面Ｓ２の一方又は両方が、アイウェア物品２００の水平面と９０°を形成する角度から５°の範囲内にない。テンプル部２１０が、アイウェア物品２００がユーザーの頭部で使用するために位置付けられ得るように固定されるとき、リブ２２５、２２６、２２７及び２２８は、リブ２２５及び２２６、並びにリブ２２７及び２２８の第１主要表面Ｓ１及び第２主要表面Ｓ２がそれぞれ、アイウェア物品２００の水平面に対して垂直に近くなるように、回転する。
【００５８】
図９に示される代表的な実施形態において、スロット２２９は、各リブの間で画定される。別の代表的な実施形態において、内側周辺縁部は、複数のスロット、溝、又は他の開口部を画定してもよく、第１及び第２リブは、例えば内側周辺部を接続することによって、リブの長さに沿って、完全に、又は部分的に接合され得る。
【００５９】
代表的な実施形態において、長手方向に配置されたリブ２２５、２２６、２２７及び２２８は、アイウェア物品１００に関して先に記載されたリブと実質的に同一であり、テンプル分離間隔の範囲にわたり、接触部２１２に所望の力を生じるために同様の方法で機能する。長手方向に配置された４つのリブを有する可撓性部は、本明細書において記載されるように、単一のリブの対の機能及び利点を有するが、テンプル部２１０がユーザーの頭部に適合するように曲がる際に、接触部２１２が所望の向き（実質的に垂直な方向）に留まりやすいように、更なるねじれ安定性をもたらす。代表的な実施形態において、可撓性部２２０は、その長手方向軸を中心に、３２Ｎ−ｍｍ／ラジアン超、又は５６Ｎ−ｍｍ／ラジアン超のねじり剛性Ｋを有する。ねじり剛性は、適用されるねじれモーメントの、ねじれ角度に対する比率として定義することができ、ねじれ回転に対する抵抗を特徴づけるために使用することができる。より高いねじり剛性を有する可撓性部は、長手方向軸を中心とした回転を生じるためにより大きな力を必要とし、したがってより高いねじり剛性を有する可撓性部を有するテンプル部は、テンプル部がユーザーの頭部に適合するように曲げられる際に、より所望の向きに留まりやすい。
【００６０】
本発明の様々な実施形態において、可撓性部は、１５ｍｍ超、又は２０ｍｍ超、又は２４ｍｍ超である、最大高さＨを有する。上記で指定された最大高さＨを有する可撓性部は、４つの長手方向のリブを含むことがあり、又は比較的高い高さの、２つの長手方向に配置されたリブを含むことがある。最大高さＨが増加すると、ねじり剛性が増加する。したがって、上記において指定された最大高さＨを有する可撓性部は、テンプル部がユーザーの頭部に適合するように曲がる際に、より所望の向きに留まりやすい。
【００６１】
様々な実施形態において、本発明によるアイウェア物品は、２つ、３つ、４つ、又はそれ以上の長手方向に配置されたリブを含み、一方で本明細書において記載される利益及び特性を得ることができる。代表的な実施形態において、アイウェア物品２００は、３つ以上の長手方向に配置されたリブを含み、各リブは、厚さ（ｔ）によって分離された第１及び第２の主要表面を含み、各リブの第１主要表面は、アイウェア物品を仮想的な上方半体及び下方半体に分割する水平面と垂直ではない。
【００６２】
上記の特徴を有する代表的なテンプル部２１０は、接触部２１２が、テンプル分離間隔の特定の範囲内のいずれかの位置において、実質的に垂直な向きにあり、テンプル部の長手方向軸を中心とした回転に抵抗するように、十分なねじれ安定性をもたらす。
【００６３】
上記の様々な特徴、及び特徴の組み合わせを有するアイウェア物品は、いくつかの利益をもたらす。多くの先行技術設計は、線形の力変位反応を呈するように見え、テンプル部が曲げられたときに、テンプル部によりかかる力が、比較的急な傾きで線形増加し、アイウェア物品が様々な幅の頭部に配置されるときに、テンプル部によって大きく異るレベルの力がかかる。したがって、単一のアイウェア物品が、異なる頭部の幅を有する個人によって使用されるときに、様々なレベルの快適性をもたらし得る。多くの先行技術設計とは対照的に、本発明によるアイウェア物品は、予測されるテンプル分離間隔の範囲の一部にわたり、非線形の力変位反応、又は比較的低い傾きの線形力変位反応を呈する、アイウェア物品をもたらすことにより、ある範囲の頭部の幅において、フィット及び快適性のバランスをもたらす。可撓性部が曲がる際に変化する断面二次モーメントを呈する可撓性部、及び固有の湾曲を有する可撓性部の組み合わせにより、単一のアイウェア物品が、比較的小さな頭部の幅を有するユーザー、加えて比較的大きな頭部の幅を有するユーザーに、所望の力レベルをもたらし得る。更に、様々なサイズのアイウェア物品を、様々な頭部の幅を有するユーザーにもたらすのに伴う費用が低減し、複雑又は可動部分を組み込む設計に伴う製造費が最小化される。
【実施例】
【００６４】
本発明の特徴、動作、及び利益が、以下の詳細な非限定的実施例に関して更に記載される。これらの実施例は、種々の具体的なかつ好ましい実施形態及び技術を更に例示するために提供するものである。しかし、多数の変更及び改良を加えることができるが、本発明の範囲内にとどまることが理解されるべきである。
【００６５】
手順１：力変位測定
接触部にかかる力対テンプル部の変位の測定が、ある範囲の頭部サイズにわたって、アイウェア物品が呈し得る快適性の指標をもたらす。テンプル分離間隔として示される値は、頭部の幅と類似であり、これは、テンプル部１１０の接触部１１２を、アイウェア物品１００の中央サジタル平面１６１から分離する、上記の距離ｄのおよそ２倍である。各テンプル部に関して得られる力は、アイウェア物品が人間の頭部で使用するために配置されるときに接触部にかかる力と比較可能である。
【００６６】
力対偏位データが、レンズ支持体、及び２つのＭａｒｋ−１０  ＭＧ０５力ゲージを含むカスタム固定具を使用して得られた（Ｌｏｎｇ  Ｉｓｌａｎｄ，ＮＹのＭａｒｋ−１０  Ｃｏｒｐ．から得られる）。各力ゲージが平行移動ステージの上に載せられ、打ち込みねじが回される際に、各力ゲージのロードポストが、固定具の中央点から等距離で移動するように、打ち込みねじにより配置することができる。すなわち、各ロードポストは、アイウェア物品を、仮想的な左半体及び右半体に分割する、中央サジタル平面から、ほぼ等距離である。各力ゲージのロードポストの間の距離を示すために線形目盛がもたらされた。サンプルは、固定具上に配置されレンズがレンズ支持体にクランプされ、各テンプル部は、対応するロードポストの外側に配置された。ロードポストの間の初期距離は８０ｍｍであり、サンプルのレンズの前部からおよそ１１０ｍｍの距離でテンプル部と接触した。各ロードポストの間の分離間隔、及びしたがって各テンプル部の接触部は、同じ頭部幅と対応するものとすることができる。力測定は、１３０ｍｍ〜１８０ｍｍのロードポスト間隔において、１０ｍｍ間隔で、各ロードセルで記録された。テンプル部は、ロードポストにクランプ又は固定されず、ロードポストの間の分離間隔の増加の際に、ロードポストに対して自由に動いた。
【００６７】
（実施例１〜５）
実施例１〜５は、手順１に従って測定された。実施例１のサンプルは、３Ｍ  Ｃｏｍｐａｎｙから入手可能なＶＩＲＴＵＡ（登録商標）＃  ７０−０７１５−３９４２−６安全ガラスであった。実施例２のサンプルは、Ｕｖｅｘ  Ｓａｆｅｔｙ  Ｇｒｏｕｐから入手可能な、ＧＲＡＶＩＴＹ  ＺＥＲＯ  ＃  ９１９１．２６５安全ガラスであった。実施例３のサンプルは、Ｐｙｒａｍｅｘから入手可能な、ＭＯＮＴＥＧＯ  ＃  ＳＢ５３１０Ｓ安全ガラスであった。実施例４のサンプルは、本発明によるアイウェア物品であり、Ｓａｂｉｃ  Ｉｎｎｏｖａｔｉｖｅ  Ｐｌａｓｔｉｃｓから入手可能な、ＸＹＬＥＸ  ８３００と称される材料から構成された。実施例５のサンプルは、本発明によるアイウェア物品であり、ＤｕＰｏｎｔから入手可能な、Ｄ１００  ＳＴと称される材料から構成された。
【００６８】
実施例４及び５のサンプルは、図７、１０、及び１１に示される代表的な実施形態と一致する寸法であった。図７は、本発明による、代表的なテンプル部１１０の平面図の縮尺図をもたらす。可撓性部は、およそ５０ｍｍの曲率半径を有する。図１０は、本発明によるアイウェア物品の側面図をもたらす。各リブ３２５、３２６、３２７、及び３２８は、およそ５ｍｍの最大高さを有し、およそ２．５ｍｍの最小高さｈｍｉｎを有する。各リブの長さｌは、およそ３０ｍｍである。スロット３２９は、およそ１．５ｍｍの最大幅Ｗｍａｘ、及びおよそ０．８ｍｍの最小幅Ｗｍｉｎを有する。
【００６９】
図１１は、図１０の直線１１−１１で断面図をもたらす。各リブは、内側周辺縁部３２３における最大厚さｔｍａｘから、外側周辺縁部１２４における最小厚さｔｍｉｎまで減少する厚さを有する。内側周辺縁部３２３の厚さｔｍａｘは、各リブの長さｌに沿っておよそ１．５ｍｍである。各リブの外側周辺縁部３２４における厚さｔｍｉｎは、各端部におけるおよそ１．０ｍｍの厚さから、可撓性部３２０の第１端部３２１に最も近い各リブの端部から長さｌに沿っておよそ１０ｍｍの距離におけるおよそ０．５ｍｍの厚さへと、リブの長さに沿って変化している。リブ１２５及び１２６の中間点において、各リブ１２５及び１２６の内側表面Ｓ１によって形成される角度θは、およそ１５５°である。
【００７０】
【表１】
2015508913.tif 000003
【００７１】
表１は、実施例１〜５において、手順１に従って接触部で測定される力をｇで示す。図１〜３のサンプルは、本発明による長手方向に配置されたリブを有する可撓性部を有さず、所望の力レベル（例えば、テンプル分離間隔の範囲にわたって、５０〜１４０ｇ）をもたらさなかった。
【００７２】
実施例１は、１３０ｍｍ〜１８０ｍｍの通常の頭部のサイズの全範囲にわたり、所望の力レベルをもたらさなかった。実施例１のサンプルのテンプル分離間隔が１３０ｍｍのとき、接触部にかかる力は２０ｇ未満であった。このような値は所望の範囲以下であり、およそ１３０ｍｍの頭部の幅を有するユーザーは、アイウェア物品が不安定であるように感じ得る。同様に、実施例１のサンプルのテンプル部分離間隔が１８０ｍｍに近づくと、接触部にかかる力は、１５０ｇを超えた。結果として、アイウェア物品は、ユーザーの頭部に過剰な圧力を生じ、不快感を生じる傾向にある。結局、実施例１のサンプルの接触部にかかる力は、例えば、実施例４又は５のサンプルと比較して、狭い範囲の頭部サイズにおいてのみ、所望のレベルに収まる。
【００７３】
実施例２のサンプルは、同様に、１３０ｍｍ〜１８０ｍｍの通常の頭部のサイズの全範囲にわたって、所望の力レベルをもたらさなかった。１５０ｍｍのテンプル分離間隔において、接触部にかかる力は１００ｇを超えた。１８０ｍｍのテンプル分離間隔において、接触部にかかる力は１７５ｇであった。したがって、アイウェア物品が、１８０ｍｍの頭部の幅を有するユーザーにより着用される際に、不快感が生じる傾向がある。
【００７４】
実施例３のサンプルの接触部においてかかる力は、１０５．５ｇ〜１２９．５ｇの間でのみ変動するが、１３０ｍｍ〜１８０ｍｍのテンプル部分離間隔の範囲で常に所望のレベルの力を上回る。したがって、接触部における力は、最適レベルの安定性をもたらすのに必要な力以上であり、ユーザーに不快感を与え得る。
【００７５】
実施例４及び５のサンプルは、テンプル部分離間隔の範囲にわたって、所望の力レベルをもたらした。本発明による特徴を有する実施例４のサンプルは、１３０ｍｍのテンプル分離間隔において、およそ５０ｇの力レベルを呈した。このような力は所望の範囲内であり、フィットの安定性及び快適性のバランスの知覚をもたらす。テンプル分離間隔の値が１８０ｍｍまで増加させるとき、力は１１０ｇを下回り続ける。実施例５のサンプルにおいて、接触部においてかかる力はテンプル部分離が１３０ｍｍであるときにおよそ７３ｇであり、１８０ｍｍのテンプル分離間隔まで、ほぼ一定であった。実施例１及び２の従来的なアイウェア物品のと対照的に、実施例５のサンプルは、テンプル部分離間隔が１８０ｍｍに近づいても、接触部において、不快感に繋がるようなレベルの力をかけなかった。
【００７６】
結局、実施例４及び５のサンプルは、比較的小さな頭部の幅において確実なフィットをもたらすために十分な力が生じた一方で、比較的大きな幅を有する頭部に配置した際に、最大力が快適な範囲に限定されるように、テンプル部分離間隔の範囲にわたって所望の力レベルをもたらした。
【００７７】
手順２：ねじり剛性測定
より大きなねじり剛性を有するテンプル部は、テンプル部の長手方向軸を中心とした回転、又は曲がっていない状態のテンプル部により画定される平面外の回転に抵抗することがあり、それによって、接触部は、所望の頭部のサイズに対応するテンプル分離間隔の範囲内のいずれの位置においても、実質的に垂直な向きであり続ける。アイウェア物品の快適性は、例えば、アイウェア物品の接触部の縁部のみがユーザーの頭部と接触し、結果としてユーザーの頭部と衝突する領域に圧力が集中する際に、低減し得る。したがって、より大きなねじり剛性を有するテンプル部は、より回転しにくいことがあり、よって接触部の縁部のみがユーザーの頭部と接触する。
【００７８】
代表的なテンプル部の可撓性部のねじれ特性は、以下の手順に従って得られた。サンプルは、静止位置から、トルク対回転が実質的に線形であるような角度にわたり、回転させられた。この区域において材料反応は弾性的であり、ねじり剛性Ｋは、モーターの回転と各サンプルの連携した作用により可撓性部分が駆動された、回転角度φで、測定された反応性トルクＴを除したものとほぼ等しかった。生じるＫは、オンス−インチ／度で計算され、Ｎ−ｍｍ／ラジアンに変換された。
【００７９】
アイウェアテンプル部の可撓性部のトルク反応を測定するために、ねじれ試験用器具が構成された。この器具は、Ｉｒｖｉｎｅ，ＣａｌｉｆｏｒｎｉａのＦｕｔｅｋ  Ａｄｖａｎｃｅｄ  Ｓｅｎｓｏｒ  Ｔｅｃｈｎｏｌｏｇｙ，Ｉｎｃ．から入手可能な、２０インチ−オンス（約１４１．２３Ｎ−ｍｍ）の最大能力を有する、モデルＴＦＦ３２５トルクセル、ＣａｌｉｆｏｒｎｉａのＴｒａｎｓｄｕｃｅｒ  Ｔｅｃｈｎｉｑｕｅｓ  ｏｆ  Ｔｅｍｅｃｕｌａから入手可能なＴＭＯ−１シグナルコンディショナ，及びＮｏｒｔｏｎ，ＭａｓｓａｃｈｕｓｅｔｔｓのＭｅａｓｕｒｅｍｅｎｔ  Ｃｏｍｐｕｔｉｎｇから入手可能なデータ獲得のためのＴｒａｃｅｒＤａｑソフトウェアからなる。器具は更に、モーター制御のための、ＳＩプログラマーＶ２．７．１９を使用する、Ｏｍｅｇａ  ＨＴ２３−５９７回転ステッパーモーター、及び回転ステージ及びトルクセルにサンプルを連結するための、関連する機械的器具を含んだ。
【００８０】
接触部を含む、可撓性部を超えて延びるテンプル部の一部が、サンプルの固有の湾曲による効果、又は試験中に生じるトルクにおけるレバーアーム効果（level arm effects）を最小化するために、各サンプルから切り取られた。生じたサンプル長さは５０ｍｍであった。
【００８１】
サンプルは、切断された端部がステッパーモーターに取り付けられ、反対側の端部が反応トルク変換器に取り付けられるようにして固定され、回転モーターのシャフトの軸と、トルクセルとの間の角度は、試験されるテンプル部区分が、予負荷、せん断力、圧迫力、張力、又は曲げを実質的にうけないように調節された。モーターシャフトは、ソフトウェアにより、毎秒０．００１３９回転の速度で時計回りに作動され、それによりサンプルは、アイウェア物品に取り付けられる際に、テンプルを前方から観察したときに、時計回りのねじれを経験した。コマンド１０°の設定点の最大回転が、サンプルを弾性区域に維持するために使用された。
【００８２】
データ獲得の後、トルクＴは、回転角度φに対してプロットされ、ねじり剛性が、データの線形曲線適合として得られた。
【００８３】
（実施例６〜１１）
実施例６〜１１は、上記の手順２を使用して得られた。実施例６〜１１のサンプルは、本発明による可撓性部であり、上記の図７、１０、及び１１と一致するような寸法とした。実施例７、９、及び１１のサンプルは、リブ３２５、及び３２６のみを残すように、リブ３２７及び３２８を取り除くために、切り取られた。実施例６及び７のサンプルは、Ｄｕｐｏｎｔから入手可能なＤ１００  ＳＴアセタール樹脂で構成された可撓性部である。施例８及び９のサンプルは、Ｓａｂｉｃ  Ｉｎｎｏｖａｔｉｖｅ  Ｐｌａｓｔｉｃｓから入手可能なＰＣ１２４Ｒポリカーボネート樹脂で構成された可撓性部であった。実施例１０及び１１のサンプルは、Ｓａｂｉｃ  Ｉｎｎｏｖａｔｉｖｅ  Ｐｌａｓｔｉｃｓから入手可能なＸＹＬＥＸ  ７３００ポリカーボネート樹脂で構成された可撓性部であった。
【００８４】
【表２】
2015508913.tif 000004
【００８５】
表２は、上記の手順２により測定される実施例６〜１１のねじり剛性を示す。４つのリブを有するサンプル６、８、及び１０は、２つのリブを有するサンプル７、９、及び１１よりも大きなねじり剛性を呈した。それぞれ、５０．２、１０８、及び５９．１Ｎ−ｍｍ／ラジアンのねじり剛性を有する実施例６、８、及び１０の可撓性部は、３２Ｎ−ｍｍ／ラジアンを超える、所望のレベルのねじり剛性をもたらした。実施例８及び１０の可撓性部は、５６Ｎ−ｍｍ／ラジアンを超える、所望のレベルのねじり剛性をもたらした。
【００８６】
結局、４つのリブ、及びより高い高さＨを有する実施例は、より高いねじり剛性を呈した。同様の可撓性部を有するテンプル部の接触部は、曲げの平面外で回転しにくく、接触部の縁部のみがユーザーの頭部に接触することによる不快感を生じにくい。サンプル７、９、及び１１は、比較的低いねじり剛性を呈し、テンプル部の曲げの垂直平面外で回転しにくい。
【００８７】
これで、本発明について、そのいくつかの実施形態に関連して説明した。上記の詳細な説明及び実施例はあくまで理解を助ける明確さのために示したものである。これらによって不要な限定をするものと理解されるべきではない。本発明の範囲から逸脱することなく、記載された実施形態において多くの変更を行うことができることが、当業者には明白であろう。したがって、本発明の範囲は、本明細書に記載された厳密な詳細及び構造に限定されるべきではなく、それよりもむしろ、特許請求の範囲の文言によって説明される構造、及びそれらの構造の等価物によって限定される。上記の実施形態のいずれかに関して記載されたいずれかの特徴又は特性が、個別に、又は他のいずれかの特徴又は特性と組み合わせて組み込むことができ、単に明確性のために上記の順番及び組み合わせで提示される。
【図１】
2015508913.tif 000005
【図２】
2015508913.tif 000006
【図３】
2015508913.tif 000007
【図４Ａ】
2015508913.tif 000008
【図４Ｂ】
2015508913.tif 000009
【図４Ｃ】
2015508913.tif 000010
【図５Ａ】
2015508913.tif 000011
【図５Ｂ】
2015508913.tif 000012
【図６】
2015508913.tif 000013
【図７】
2015508913.tif 000014
【図８】
2015508913.tif 000015
【図９】
2015508913.tif 000016
【図１０】
2015508913.tif 000017
【図１１】
2015508913.tif 000018
【国際調査報告】
2015508913.tif 000019
2015508913.tif 000020
2015508913.tif 000021